(57)【要約】【課題】本発明が解決しようとする第一の課題は、くじの当落の判定に必要な外観上の違いを予め抽選を行う者に知らせない手段において、不透明な箱や筒などを使用しないことにある。第二の課題は、抽選を行う者自身が棒状のくじを折り曲げて当落を確認できることにある。【解決手段】可撓性を有し、透明または半透明のプラスチックを素材とした中空容器の中に、混合することにより外観の変化する化学組成物の一方と、その一方と混合することにより外観の変化する化学組成物の他方をガラス製またはプラスチック製のアンプルに密封したものを収納し、中空容器を折り曲げることでアンプルを破砕し、二種類の化学組成物が混合することで外観が変化することを特徴とした抽選具。【特許請求の範囲】
【請求項１】
可撓性を有し、透明または半透明のプラスチックを素材とした中空容器の中に、混合することにより外観の変化する化学組成物の一方と、その一方と混合することにより外観の変化する化学組成物の他方をガラス製またはプラスチック製のアンプルに密封したものを収納し、中空容器を折り曲げることでアンプルを破砕し、二種類の化学組成物が混合することで外観が変化することを特徴とした抽選具。
【請求項２】
可撓性を有し、透明または半透明のプラスチックを素材とした中空容器の中に、混合することにより外観の変化する化学組成物の一方と、その一方と混合することにより外観の変化する化学組成物の他方をガラス製またはプラスチック製のアンプルに密封したものを二本収納し、中空容器を折り曲げることでアンプルを破砕し、二種類または三種類の化学組成物が混合することで外観が変化することを特徴とした抽選具。
【請求項３】
混合することにより外観の変化する二種類または三種類の化学組成物のいずれか一つまたは二つが水素イオン濃度により呈色状態が変化する薬品を含み、いずれか一つまたは二つが水素イオン濃度を決定する薬品を含む、請求項１〜２記載の抽選具。
【請求項４】
混合することにより外観の変化する二種類の化学組成物のいずれか一つまたは二つが酸化状態による呈色状態が変化する薬品を含み、いずれか一つまたは二つが酸化剤または還元剤を含む、請求項１〜２記載の抽選具。
【請求項５】
混合することにより外観の変化する二種類の化学組成物のいずれか一つまたは二つが配位結合されることで呈色状態が変化する薬品を含み、いずれか一つまたは二つが配位結合する物質を含む、請求項１〜２記載の抽選具。
【請求項６】
混合することにより外観の変化する二種類の化学組成物のいずれか一つまたは二つに含まれる物質と、いずれか一つまたは二つに含まれる物質が、混合することにより化学反応を起こして混合前と呈色状態が異なる物質を生成する、請求項１〜２記載の抽選具。
【請求項７】
混合することにより外観の変化するいずれか一つまたは二つの化学組成物の一方が、目視が困難である分量であり、いずれか一つまたは二つが混合することで目視が容易な呈色状態となる、請求項１〜２記載の抽選具。
【請求項８】
混合することにより外観の変化する二種類または三種類の化学組成物がいずれも溶液または液体である、請求項１〜７の抽選具。
【請求項９】
混合することにより外観の変化する二種類または三種類の化学組成物のいずれかが溶液または液体であり、いずれかが粉末または個体である請求項１〜７の抽選具。
【発明の詳細な説明】
【技術分野】
【０００１】
本発明は、可撓性を有し、透明または半透明のプラスチックを素材とした中空容器の中に、混合することにより外観の変化する化学組成物の一方と、その一方と混合することにより外観の変化する化学組成物の他方をガラス製またはプラスチック製のアンプルに密封したものを収納し、中空容器を折り曲げることでアンプルを破砕し、二種類の化学組成物が混合することで外観が変化することを利用した抽選具に関するものである。
【背景技術】
【０００２】
従来、多数のくじの中からひとつを選び出し、その外観上の特徴の違いによって当落を判定する形式の抽選は、当落を表記した玉や棒、紙などを、抽選を行う者に選ばせる方式が一般的であるが、この方法においては外観上の特徴の違いを予め抽選を行う者に知らせない手段として、不透明の箱や筒などに格納しておかなければならない。また、紙などに当落が記載された形式のくじでは、その記載面を隠すように張り合わせておくことで不透明の箱などは不要になるが、当落の判定は紙を破るという日常的な行為によって行われるため、抽選の行為そのものに対する面白みに欠けるものである。
【発明の開示】
【発明が解決しようとする課題】
【０００３】
本発明が解決しようとする第一の課題は、くじの当落の判定に必要な外観上の違いを予め抽選を行う者に知らせない手段において、不透明な箱や筒などを使用しないことにある。第二の課題は、抽選を行う者自身が棒状のくじを折り曲げて当落を確認できることにある。
【課題を解決するための手段】
【０００４】
かかる課題を解決した本発明の構成は、可撓性あるいは柔軟性のある透明あるいは半透明の中空の棒状あるいは袋状の容器内に、混合することにより外観の変化する二種類の化学組成物の一方と、破砕の容易なガラス、プラスチックアンプルまたは柔軟性のある袋状の容器内に、混合することにより発色、変色する二種類の化学組成物の他方を密封したものを収納したものとした。
【発明の効果】
【０００５】
本発明によると、くじは抽選を行う前は外観上区別ができないため、透明なガラス容器のようにデザインを重視した収納容器が利用できる。従って、最初から外観の異なる従来のくじを用いた場合の、中が見えない箱に収納しておかなければならない抽選具と比較して、演出上の自由度が高く、抽選を行う者により一層の興味を持たせることができる。また、使用されるくじそのものに対して、抽選を行う者が当落を判定する行為を行うため、抽選そのものの行為を楽しむことができる。
【発明を実施するための最良の形態】
【０００６】
以下、本発明の変色式抽選具の実施の形態を図面を参照しながら詳細に説明する。
【０００７】
図１に示すように、中空容器１は曲げやすい円筒容器よりなっている。中空容器１の材質は透明性があり、かつ可撓性のあるプラスチック類として、ポリプロピレン、ポリエチレン、軟質ポリウレタン、軟質ポリ塩化ビニルなどが使用できる。中空容器１の両端は図１に示すとおり、材質を加熱して軟化させ、適当な方法にて成型、密封するが、例えば気密性の高いキャップや接着剤を用いて密封することもできる。
【０００８】
図１の中空容器１の内部には、円筒形のアンプル２が封入されている。アンプル２の材質は中空容器１を曲げることで容易に破砕し得るものとして、ガラス、硬質のポリスチレン、ポリプロピレン、ポリ塩化ビニルなどが使用できる。アンプル２の両端は図１に示すとおり、材質を加熱して軟化させ、適当な方法にて成型、密封するが、例えば気密性の高いキャップや接着剤を用いて密封することもできる。
【０００９】
図１に示すように、中空容器１の内部には、混合することにより外観の変化する二種類の化学組成物の一方３が封入されている。また、アンプル２の内部には混合することにより外観の変化する二種類の化学組成物のもう一方４が封入されている。
【００１０】
アンプル２が破砕されていない状態では、混合することにより外観の変化する二種類の化学組成物はアンプル２の材料により隔てられ、混合されることはない。また、二種類の化学組成物３及び４の封入位置に区別はなく、中空容器１の内部とアンプル２の内部に別々に封入されていれば良い。
【００１１】
図１における化学組成物３及び４の一方には、例えば水溶液中の水素イオン濃度の変化に応じて呈色状態が変化する指示薬を用い、もう一方には水素イオン濃度が変化し難く調整された水溶液を用いるのが望ましい。具体的には例えば、図２における化学組成物７及び図３における化学組成物１１にはメチルレッド約0.2gをエタノール90mlに溶解し、これを純水で1〜10倍程度に希釈したものを用いる。一方図２における化学組成物８にはpH4以下の緩衝液を用いたものを、図３における化学組成物１２にはpH7以上の緩衝液を用いたものを作成する。pH4以下の水溶液としては0.2モルのフタル酸水素カリウム水溶液と0.2モルの塩酸をおよそ5:2で混合したものを用い、pH7以上の水溶液としては、0.2モルのホウ酸水溶液と0.2モルの塩化カリウム水溶液をおよそ1：1で混合したものと、0.2モルの水酸化ナトリウム水溶液をおよそ5:2で混合したものを用いることができるが、同様のpH値を示す緩衝液であれば他のものも使用できる。
【００１２】
このようにして作成された図２、図３の本発明品は外観では区別できないが、中空容器を折り曲げてアンプルを破砕すると、図２の本発明品は内溶液が赤色に、図３の本発明品は内溶液が黄色を呈する。また、本発明品は、例えば図１において一方の化学組成物３と他方の化学組成物４は任意に入れ替えることができる。
【００１３】
これを利用し、例えば抽選において、赤色を当たり、黄色をはずれと設定した場合、図２の本発明品を1、図３の本発明品を9の割合で多数混ぜてくじとして提供し、任意のくじを折り曲げることであたり、はずれを判定可能となる。
【００１４】
図１の本発明の構成において、混合することにより外観の変化する二種類の化学組成物の一方としては、他方の化学組成物が同色であり、かつ任意に水素イオン濃度を調整できるものであれば、その水素イオン濃度によって明確に異なる色を呈する指示薬が使用できる。例えば、酸性側で赤、アルカリ性側で黄を示す指示薬としてはチモールブルー、メタニルイエロー、トロペオリンOO、メチルイエロー、メチルレッド、ニュートラルレッドなどまたはその溶液が使用できる。また、例えば酸性側で無色、アルカリ性側で黄を示す指示薬としては、２，６−ジニトロフェノール、２，５−ジニトロフェノール、ｐ−ニトロフェノール、酸性側で赤、アルカリ性側で橙を示す指示薬としては、メチルオレンジ、酸性側で黄、アルカリ性側で赤を示す指示薬としては、クロルフェノールレッド、フェノールレッド、クレゾールレッド、クルクミン、酸性側で黄、アルカリ性側で青または青紫を示す指示薬としては、ブロモフェノールブルー、ブロモクレゾールグリーン、ブロモクレゾールパープル、ブロモチモールブルー、チモールブルー、酸性側で青紫、アルカリ性側で橙を示す指示薬としては、コンゴーレッド、酸性側で黄、アルカリ性側で橙を示す指示薬としては、アリザリンＳ、アリザリンイエローＧＧ、トロペオリンＯ、ニトラミン、酸性側で無色、アルカリ性側で赤を示す指示薬としては、フェノールフタレイン、ｏ−クレゾールフタレイン、酸性側で無色、アルカリ性側で青を示す指示薬としては、チモールフタレイン、酸性側で青、アルカリ性側で赤を示す指示薬としては、ポアリエブルーC4B、酸性側で無色、アルカリ性側で橙を示す指示薬としては、ニトラミン、１，３，５−トリニトロベンゼンなどまたはその溶液の溶液が使用できる。
【００１５】
この中で化学組成物の一方に、例えばチモールブルーのように、酸性側で赤、中性付近で黄色、アルカリ性側で青を示す指示薬の溶液を使用した場合には、他方の化学組成物をｐH１、ｐH６、ｐH１０の三種類と組み合わせて本発明品を構成すれば、二者択一のくじではなく、三者択一のくじとなり、順位を決定する抽選具として利用できる。
【００１６】
また、図１の本発明の構成において、水素イオン濃度によって明確に異なる色を示す指示薬の種類を組み合わせて一方の化学組成物とし、水素イオン濃度を段階的に調整した複数の種類の溶液を他方の化学組成物として用いると、三種類以上の呈色状態を示すくじが作成でき、順位を決定することを目的とした抽選具としてよりふさわしいものとなる。例えば一方の化学組成物として、チモールブルー5mg、メチルレッド12.5mg、ブロモチモールブルー600mg、フェノールフタレイン100mgをエタノール100mlに溶解し、0.05規定の水酸化ナトリウム水溶液で中和し、純水100〜200mlで希釈したものを用い、他方の化学組成物について、ｐH４、ｐH５、ｐH６、ｐH７、ｐH８、ｐH９、ｐH１０に水素イオン濃度調整した水溶液を用いると、本発明品は外観では全く区別できないが、アンプルを破砕することにより二種類の化学組成物を混合させることにより、他方の化学組成物としてｐH４の水溶液を用いたものは赤、ｐH５は橙、ｐH６は黄、ｐH７は緑、ｐH８は青、ｐH９は藍、ｐH１０は紫となり、順位を決定する抽選具として更に有用となる。
【００１７】
図１の本発明において、混合することにより外観の変化する二種類の化学組成物の一方としては、他方の化学組成物が同色であり、かつ一方の酸化状態を変化させ得る化学組成物であれば、その酸化状態によって明確に異なる色を呈する指示薬を用いるのが望ましい。具体的には例えば、図２における化学組成物７及び図３における化学組成物１１には酸化還元指示薬であるメチレンブルー50mg、グルコース10g及び水酸化カリウム10gを純水300mlに溶解したものを用い、一方図２における化学組成物８には水を、図３における化学組成物１２には5%過酸化水素水溶液を用いたものを作成する。このようにして作成された図２、図３の本発明品は外観では区別できないが、中空容器を折り曲げてアンプルを破砕すると、図２の本発明品は青色を呈し、図３の本発明品は内溶液が無色のまま変化しない。
【００１８】
また、本発明品は、例えば図１において一方の化学組成物３と他方の化学組成物４は任意に入れ替えることができる。
【００１９】
これを利用し、例えば抽選において、青色を当たり、無色をはずれと設定した場合、図２の本発明品を１、図３の本発明品を9の割合で多数混ぜてくじとして提供し、任意のくじを折り曲げることであたり、はずれを判定可能となる。
【００２０】
図１の本発明の構成において、混合することにより外観の変化する二種類の化学組成物の一方としては、他方の化学組成物が同色であり、かつ酸化状態を変化させられるものであれば、その酸化状態によって明確に異なる色を呈する酸化還元指示薬が使用できる。例えば、酸化側で青、還元側で無色の酸化還元指示薬としてメチレンブルー、ヨウ化カリウムデンプン溶液、過マンガン酸カリウムの水溶液などが利用できる。
【００２１】
また、図１の本発明品の構成において、混合することにより外観の変化する二種類の化学組成物の他方としては、酸化剤として、過酸化水素、過水酸化ナトリウムなどの過酸化無機塩類、過酢酸などの過カルボン酸類及びその溶液などが使用でき、また還元剤としては、ヒドラジン、チオ硫酸ナトリウムなどの被酸化型無機塩、不飽和有機化合物などが使用できる。
【００２２】
図４に示すように、中空容器１３は曲げやすい円筒容器よりなっている。中空容器１３の材質は透明性があり、かつ可撓性のあるプラスチック類として、ポリプロピレン、ポリエチレン、軟質ポリウレタン、軟質ポリ塩化ビニルなどが使用できる。中空容器１３の両端は図４に示すとおり、材質を加熱して軟化させ、適当な方法にて成型、密封するが、例えば気密性の高いキャップや接着剤を用いて密封することもできる。また、図４の本発明品は、外観上、上下の区別ができず、また、アンプル１４及び１５も外観上区別ができないものが望ましい。
【００２３】
図４の中空容器１３の内部には、円筒形のアンプル１４及び１５が封入されている。アンプル１４及び１５の材質は中空容器１を曲げることで容易に破砕し得るものとして、ガラス、硬質のポリスチレン、ポリプロピレン、ポリ塩化ビニルなどが使用できる。アンプル１４及び１５の両端は図１に示すとおり、材質を加熱して軟化させ、適当な方法にて成型、密封するが、例えば気密性の高いキャップや接着剤を用いて密封することもできる。また、図４の本発明品は、外観上、上下の区別ができず、また、アンプル１４及び１５も外観上区別ができないものが望ましい。
【００２４】
図４に示すように、中空容器１３の内部には、混合することにより外観の変化する三種類の化学組成物の一方１６が封入されている。また、アンプル１４及び１５の内部には混合することにより外観の変化する三種類の化学組成物の他方の一つである１７と、もうひとつである１８が各々封入されている。アンプル１４及び１５が破砕されていない状態では、混合することにより外観の変化する三種類の化学組成物はアンプル１４及び１５の材料により隔てられ、混合されることはない。
【００２５】
図４における化学組成物１６には、例えば水溶液中の水素イオン濃度の変化に応じて呈色状態が変化する指示薬を用い、化学組成物１７及び１８には各々水素イオン濃度が異なり、各々が変化し難く調整された水溶液を用いるのが望ましい。
【００２６】
図４の本発明において、混合することにより外観の変化する三種類の化学組成物のうち一種類である一方としては、他方の二種類の化学組成物が同色であり、かつ任意に異なる水素イオン濃度を調整できるものであれば、その水素イオン濃度によって明確に異なる色を呈する指示薬が使用できる。
【００２７】
具体的には例えば、図４における化学組成物１６及にはメチルレッド約0.2gをエタノール90mlに溶解し、これを純水で1〜10倍程度に希釈したものと、ブロモチモールブルー0.1gをエタノール20mlに溶解し、これを純水で1〜5倍程度に希釈したものを等量ずつ混合したものを用いる。一方図４における化学組成物１７にはpH4以下の緩衝液を用い、図４における化学組成物18にはpH７以上の緩衝液を用い、かつ、化学組成物１７と化学組成物１８を等量で混合した場合、ｐH５〜ｐH６に安定した状態を示す溶液が生成するものを作成する。ｐH4以下の水溶液としては0.2モルのフタル酸水素カリウム水溶液と0.2モルの塩酸をおよそ10:1で混合したものを用い、pH７以上の水溶液としては、0.2モルのホウ酸水溶液と0.2モルの塩化カリウム水溶液をおよそ1：1で混合したものと0.2モルの水酸化ナトリウム水溶液をおよそ5:4で混合したものを用いることができるが、同様のpH値を示し、かつ、両者を等量で混合した場合、ｐH５〜ｐH６に安定した状態を示す緩衝液であれば他のものも使用できる。
【００２８】
このようにして作成された図４の本発明品は、中空容器を折り曲げてアンプル１４またはアンプル１５のいずれかを破砕すると、本発明品は内溶液が前者では赤色に、後者では青色を示す。また、アンプル１４及びアンプル１５の双方を破砕すると、本発明品は内溶液が黄色を呈する。
【００２９】
これを利用し、例えば抽選において、赤色を当たり、青色をはずれと設定した場合、図４の本発明品に対して、抽選を行う者がアンプル１４またはアンプル１５のいずれかを任意に破砕することにより、二分の一の確率で当落が決定される抽選具として利用できる。また、抽選を行う者がアンプル１４及びアンプル１５の両方を破砕した場合、本発明品は黄色を呈し、くじを無効とすることができる。
【図面の簡単な説明】
【００３０】
【図１】本発明の一実施例における変色くじの構造を示す説明図。
【図２】本発明の一実施例における変色くじの構造を示す説明図。
【図３】本発明の一実施例における変色くじの構造を示す説明図。
【図４】本発明の一実施例における変色くじの構造を示す説明図。
【符号の説明】
【００３１】
１．プラスチック製中空容器、２．ガラス製アンプル、３．化学組成物の一方、４．化学組成物の他方、５．プラスチック製中空容器、６．ガラス製アンプル、７．化学組成物の一方、８．化学組成物の他方、９．プラスチック製中空容器、１０．ガラス製アンプル、１１．化学組成物の一方、１２．化学組成物の他方、１３．プラスチック製中空容器、１４．ガラス製アンプル、１５．ガラス製アンプル、１６．化学組成物の一方、１７．化学組成物の他方、１８．化学組成物の他方
【図１】
2005342228.tif 000002
【図２】
2005342228.tif 000003
【図３】
2005342228.tif 000004
【図４】
2005342228.tif 000005